(57)【要約】【課題】テールゲートアウタパネルの天井面の変形を防止し得るテールゲート構造を提供する。【解決手段】テールゲートアウタパネル６とテールゲートインナパネル２１を組み合わせてテールゲート２０を形成するテールゲート構造であって、テールゲートアウタパネル６は、外壁面８の上部を屈曲して形成される天井面９を備え、テールゲートインナパネル２１は、外壁面８と相対する内壁面１１の側部を屈曲して形成される側壁面１２を備えると共に、側壁面１２に、天井面９の側方端部９ａを支持し得る支持面２２を配置するようＬ字部材２４を設ける。これにより、天井面９の側方端部９ａに集中的に荷重が作用した際であっても、支持面２２が天井面９の側方端部９ａを支持し、天井面９の変形を確実に防止することができる。【選択図】        図１
2004306639.tif 000002
【特許請求の範囲】
【請求項１】
テールゲートアウタパネルとテールゲートインナパネルを組み合わせてテールゲートを形成するテールゲート構造であって、前記テールゲートアウタパネルは、外壁面の上部を屈曲して形成される天井面を備え、前記テールゲートインナパネルは、外壁面と相対する内壁面の側部を屈曲して形成される側壁面を備えると共に、前記側壁面に、天井面の側方部を支持し得る支持面を配置するようＬ字部材を設けたことを特徴とするテールゲート構造。
【請求項２】
テールゲートアウタパネルとテールゲートインナパネルを組み合わせてテールゲートを形成するテールゲート構造であって、前記テールゲートアウタパネルは、外壁面の上部を屈曲して形成される天井面を備え、前記テールゲートインナパネルは、外壁面と相対する内壁面の側部を屈曲して形成される側壁面を備えると共に、前記側壁面に、天井面の側方部を支持し得る支持面を一体に屈曲により形成したことを特徴とするテールゲート構造。
【請求項３】
テールゲートアウタパネルとテールゲートインナパネルを組み合わせてテールゲートを形成するテールゲート構造であって、前記テールゲートアウタパネルは、外壁面の上部を屈曲して形成される天井面を備え、前記テールゲートインナパネルは、外壁面と相対する内壁面の側部を屈曲して形成される側壁面と、前記外壁面に接するよう側壁面を端部を屈曲して形成される接触面とを備えると共に、前記側壁面に、天井面の側方部を支持し得る支持面を屈曲により形成し、該支持面を連続的に接触面に繋げたことを特徴とするテールゲート構造。
【請求項４】
天井面と支持面を接合した請求項１、２又は３に記載のテールゲート構造。
【発明の詳細な説明】
【０００１】
【発明の属する技術分野】
本発明は、テールゲートを形成するテールゲート構造に関するものである。
【０００２】
【従来の技術】
図９〜図１２はトラックに採用されている従来のテールゲート構造の一例を示すものであり、トラックの荷台１は、床面（図示せず）の周囲にテールゲート２と左右のサイドパネル３を備えて構成されており、テールゲート２の外面には、テールゲート２を開閉する際に使用する取手部４を備え、左右のサイドパネル３の後端にはランプ５を備えている。
【０００３】
テールゲート２は、荷台１の外側に位置するテールゲートアウタパネル６と、荷台１の内側に位置するテールゲートインナパネル７とを組み合わせて構成されており、テールゲートアウタパネル６は、荷台１の外周面になる外壁面８を備えると共に、外壁面８の上部を屈曲して形成される天井面９を備え、外壁面８及び天井面９の周囲には、内側に屈曲して形成される縁部１０を備えている。一方、テールゲートインナパネル７は、外壁面８と所定の間隔を介して相対する内壁面１１を備えると共に、天井面９の側方寄り位置の下方に位置するよう、内壁面１１の側部を外壁面側へ屈曲して形成される側壁面１２を備え、更に外壁面８に沿うよう側壁面１２の端部を外方へ屈曲して形成される接触面１３を備えている。
【０００４】
ここで、天井面９の周囲の縁部１０ａは下方に向かって形成されており、天井面９から外壁面８への屈曲部分の縁部１０ｂは中途位置から更に折り返されてヘミング徐変し、外壁面８の側部の縁部１０ｃは、完全に折り返されてテールゲートインナパネル７の接触面１３を挟み込んでいる。又、縁部１０ａは、テールゲートインナパネル７の内壁面１１の上部と接合するようスポット打点を施されている。
【０００５】
トラックの荷台１に荷を積み込む場合においてテールゲート２の上部に荷を載置したり、人が足を載せたりしてテールゲートアウタパネル６の天井面９に荷重が作用した際には、天井面９に作用した荷重を、テールゲートインナパネル７の内壁面１１で支持すると共に、ヘミング徐変部を外壁面８になだらかに接合することにより、荷重による応力の集中を分散して天井面９の変形を防止している。
【０００６】
ここで、テールゲート構造に関連する先行技術文献としては、下記の先行出願１等が既に存在している。
【０００７】
【先行出願１】
特願２００１−２８７１６６号明細書
【０００８】
【発明が解決しようとする課題】
しかしながら、前述のテールゲート構造で形成されたテールゲート２は、天井面９の側方部９ａに集中的に荷重が作用した際には、テールゲートインナパネル７によって十分に支持できず、天井面９が変形してしまうという問題があった。
【０００９】
本発明は上述の実情に鑑みてなしたもので、テールゲートアウタパネルの天井面の変形を防止し得るテールゲート構造を提供することを目的としている。
【００１０】
【課題を解決するための手段】
本発明の請求項１は、テールゲートアウタパネルとテールゲートインナパネルを組み合わせてテールゲートを形成するテールゲート構造であって、前記テールゲートアウタパネルは、外壁面の上部を屈曲して形成される天井面を備え、前記テールゲートインナパネルは、外壁面と相対する内壁面の側部を屈曲して形成される側壁面を備えると共に、前記側壁面に、天井面の側方部を支持し得る支持面を配置するようＬ字部材を設けたことを特徴とするテールゲート構造、に係るものである。
【００１１】
本発明の請求項２は、テールゲートアウタパネルとテールゲートインナパネルを組み合わせてテールゲートを形成するテールゲート構造であって、前記テールゲートアウタパネルは、外壁面の上部を屈曲して形成される天井面を備え、前記テールゲートインナパネルは、外壁面と相対する内壁面の側部を屈曲して形成される側壁面を備えると共に、前記側壁面に、天井面の側方部を支持し得る支持面を一体に屈曲により形成したことを特徴とするテールゲート構造、に係るものである。
【００１２】
本発明の請求項３は、テールゲートアウタパネルとテールゲートインナパネルを組み合わせてテールゲートを形成するテールゲート構造であって、前記テールゲートアウタパネルは、外壁面の上部を屈曲して形成される天井面を備え、前記テールゲートインナパネルは、外壁面と相対する内壁面の側部を屈曲して形成される側壁面と、前記外壁面に接するよう側壁面を端部を屈曲して形成される接触面とを備えると共に、前記側壁面に、天井面の側方部を支持し得る支持面を屈曲により形成し、該支持面を連続的に接触面に繋げたことを特徴とするテールゲート構造、に係るものである。
【００１３】
本発明の請求項４は、天井面と支持面を接合した請求項１、２又は３に記載のテールゲート構造、に係るものである。
【００１４】
このように、請求項１によれば、側壁面に支持面を設けて天井面の側方部を支持し得るので、天井面の側方部に集中的に荷重が作用した際であっても天井面の変形を確実に防止することができる。又、テールゲートアウタパネルの天井面を、支持面、テールゲートインナパネルの内壁面、テールゲートアウタパネルの外壁面からなる箱型で支持するので、天井面の補強を容易に為し、大きな荷重に対して確実に耐えることができる。更に、側壁面に支持面を設けてテールゲートアウタパネルの天井面とテールゲートインナパネルの側壁面と間の隙間を低減するので、テールゲートアウタパネルとテールゲートインナパネルの間の内部空間への垢や泥の侵入を防止すると共に、錆の発生を抑制することができる。
【００１５】
請求項２によれば、天井面の側方部を支持し得る支持面を屈曲して一体で形成し得るので、新たな部材を不要にして製造コストを低減することができる。又、請求項１に示した作用効果を備えている。
【００１６】
請求項３によれば、側壁面に、天井面の側方部を支持し得る支持面を屈曲により形成し、連続的に接触面に繋げるため、天井面の側方部に集中的に荷重が作用した際であっても支持面を介して側壁面及び接触面に荷重を分散し、天井面の変形を一層確実に防止することができる。尚、接触面は、テールゲートアウタパネルの縁部によりヘミングされた強度の高い部分であるため、荷重を充分に支えることができる。又、請求項１及び請求項２に示した作用効果を備えている。
【００１７】
請求項４に示す如く、天井面と支持面を接合すると、テールゲートアウタパネルとテールゲートインナパネルを一体化するので、支持面が天井面の側方部をより確実に支持し、天井面の側方部に集中的に荷重が作用した際であっても天井面の変形を好適に防止することができる。又、天井面と支持面を接合してテールゲートアウタパネルの天井面とテールゲートインナパネルの側壁面と間の隙間をより塞ぐので、テールゲートアウタパネルとテールゲートインナパネルの間の内部空間への垢や泥の侵入を防止すると共に、錆の発生を確実に抑制することができる。
【００１８】
【発明の実施の形態】
以下本発明の実施の形態を図面を参照しつつ説明する。
【００１９】
図１〜図３は本発明を実施する形態の第一例を示すものであり、図９〜図１２と同一の符号を付した部分は同一物を表わしている。
【００２０】
第一例のテールゲート構造で形成されたテールゲート２０は、テールゲートインナパネル２１の側壁面１２の上端に、水平な支持面２２と垂直な取付面２３からなるＬ字部材２４を溶接等により設け、テールゲートアウタパネル６と組み合わせた際には、支持面２２で天井面９の側方部９ａを支持するように構成している。
【００２１】
ここで、テールゲートアウタパネル６の天井面９とＬ字部材２４の支持面２２は接合することもできる。接合は、スポット打点、種々の溶接、接着材の接着等で行われている。なお、スポット打点で接合した場合には、見栄えを向上させるようトップレールガーニッシュ等を配置することが好ましい。
【００２２】
以下、本発明を実施する形態の第一例の作用を説明する。
【００２３】
天井面９の側方部９ａに集中的に荷重が作用した際には、テールゲートインナパネル２１の内壁面１１の他、主にＬ字部材２４の支持面２２が天井面９の側方部９ａを支持し、側壁面１２へ荷重を分散する。
【００２４】
このように、第一例によれば、側壁面１２に支持面２２を設けて天井面９の側方部９ａを支持し得るので、天井面９の側方部９ａに集中的に荷重が作用した際であっても天井面９の変形を確実に防止することができる。又、テールゲートアウタパネル６の天井面９を、支持面２２、テールゲートインナパネル２１の内壁面１１、テールゲートアウタパネル６の外壁面８からなる箱型で支持するので、天井面９の補強を容易に為し、大きな荷重に対して確実に耐えることができる。更に、側壁面１２に支持面２２を設けてテールゲートアウタパネル６の天井面９とテールゲートインナパネル２１の側壁面１２と間の隙間を低減するので、テールゲートアウタパネル６とテールゲートインナパネル２１の間の内部空間への垢や泥の侵入を防止すると共に、錆の発生を抑制することができる。
【００２５】
天井面９と支持面２２を接合すると、テールゲートアウタパネル６とテールゲートインナパネル２１を一体化するので、支持面２２が天井面９の側方部９ａをより確実に支持し、天井面９の側方部９ａに集中的に荷重が作用した際であっても天井面９の変形を好適に防止することができる。又、天井面９と支持面２２を接合してテールゲートアウタパネル６の天井面９とテールゲートインナパネル２１の側壁面１２と間の隙間をより塞ぐので、テールゲートアウタパネル６とテールゲートインナパネル２１の間の内部空間への垢や泥の侵入を防止すると共に、錆の発生を確実に抑制することができる。
【００２６】
図４〜図６は本発明を実施する形態の第二例を示すもので、支持面２２の形成を変更したものであり、第一例と同一の符号を付した部分は同一物を表わしている。
【００２７】
第二例のテールゲート構造で形成されたテールゲート３０は、テールゲートインナパネル３１の側壁面１２の上端に、一体に屈曲して水平な支持面３２を形成し、テールゲートアウタパネル６と組み合わせた際には、支持面３２で天井面９の側方部９ａを支持するように構成している。ここで、テールゲートアウタパネル６の天井面９とテールゲートインナパネル３１の支持面３２は第一例と略同様に接合することもできる。
【００２８】
以下、本発明を実施する形態の第二例の作用を説明する。
【００２９】
第二例によれば、第一例と略同様な作用効果を得ることができる。又、天井面９の側方部９ａを支持し得る支持面３２を屈曲して一体で形成し得るので、新たな部材を不要にして製造コストを低減することができる。
【００３０】
図７、図８は本発明を実施する形態の第三例を示すもので、第一例の支持面２２の形成を変形したものであり、第一例と同一の符号を付した部分は同一物を表わしている。
【００３１】
第三例のテールゲート構造で形成されたテールゲート４０は、第二例と略同様に、テールゲートインナパネル４１の側壁面１２の上端に屈曲して水平な支持面４２を形成し、テールゲートアウタパネル６と組み合わせた際には、支持面４２で天井面９の側方部９ａを支持するように構成すると共に、この支持面４２を連続的に接触面１３に繋げるように構成している。ここで、テールゲートアウタパネル６の天井面９とテールゲートインナパネル４１の支持面４２は接合することもできる。
【００３２】
以下、本発明を実施する形態の第三例の作用を説明する。
【００３３】
天井面９の側方部９ａに集中的に荷重が作用した際には、テールゲートインナパネル４１の内壁面１１の他、主に支持面４２が天井面９の側方部９ａを支持する。
【００３４】
このように、第三例によれば、支持面４２は連続的に接触面１３に繋がっているため、支持面４２自体の剛性は高く、又、接触面１３は、テールゲートアウタパネル６の縁部１０ｃによりヘミングされた強度の高い部分であるため、荷重を充分に支えることができる。更に、側壁面１２及び接触面１３を連続的に繋げた支持面４２全体を、テールゲートアウタパネル６の天井面９及び外壁面８に沿わせ支持すれば、天井面９の側方部９ａの他、テールゲートアウタパネル６の上部屈曲部全体の変形を一層確実に防止することができる。
【００３５】
尚、本発明のテールゲート構造は、上述の形態例にのみ限定されるものではなく、支持面は天井面を支持し得るならば、形状、接合等は他の例でもよいこと、その他、本発明の要旨を逸脱しない範囲内において種々変更を加え得ることは勿論である。
【００３６】
【発明の効果】
上記した本発明のテールゲート構造によれば、側壁面に支持面を設けて天井面の側方部を支持し得るので、天井面の側方部に集中的に荷重が作用した際であっても天井面の変形を確実に防止することができるという種々の優れた効果を奏し得る。
【図面の簡単な説明】
【図１】本発明の実施の形態の第一例のテールゲート構造を示す斜視図である。
【図２】第一例のテールゲート構造のテールゲートインナパネルを示す斜視図である。
【図３】図１のＩＩＩ−ＩＩＩ方向矢視図である。
【図４】本発明の実施の形態の第二例のテールゲート構造を示す斜視図である。
【図５】第二例のテールゲート構造のテールゲートインナパネルを示す斜視図である。
【図６】図４のＶＩ−ＶＩ方向矢視図である。
【図７】本発明の実施の形態の第三例のテールゲート構造を示す斜視図である。
【図８】第三例のテールゲート構造のテールゲートインナパネルを示す斜視図である。
【図９】トラックの荷台を示す斜視図である。
【図１０】従来のテールゲート構造を示す斜視図である。
【図１１】従来のテールゲート構造のテールゲートアウタパネルを示す斜視図である。
【図１２】従来のテールゲート構造のテールゲートインナパネルを示す斜視図である。
【符号の説明】
６      テールゲートアウタパネル
８      外壁面
９      天井面
９ａ  側方部
１１      内壁面
１２      側壁面
１３      接触面
２０      第一例のテールゲート
２１      テールゲートインナパネル
２２      支持面
２３      取付面
２４      Ｌ字部材
３０      第二例のテールゲート
３１      テールゲートインナパネル
３２      支持面
４０      第三例のテールゲート
４１      テールゲートインナパネル
４２      支持面
【図１】
2004306639.tif 000003
【図２】
2004306639.tif 000004
【図３】
2004306639.tif 000005
【図４】
2004306639.tif 000006
【図５】
2004306639.tif 000007
【図６】
2004306639.tif 000008
【図７】
2004306639.tif 000009
【図８】
2004306639.tif 000010
【図９】
2004306639.tif 000011
【図１０】
2004306639.tif 000012
【図１１】
2004306639.tif 000013
【図１２】
2004306639.tif 000014